(57)【特許請求の範囲】
【請求項１】
一端部がレンズ側又はリム側に連結される鎧の他端部に腕を回動可能に連結するための鎧と腕との連結構造であって、
前記鎧の他端部を一端部の方向に折り返して、該他端部と他端部に連続する中央部との間に互いに接近する方向へのばね力を付加し、前記鎧の他端部に鎧パーツを回動可能に取り付けるとともに、該鎧パーツに前記腕の一端部を一体に連結して、該鎧パーツと前記腕とを一体に回動可能とし、さらに、前記鎧パーツの一部に前記鎧の中央部を挿入して、前記鎧パーツの一部に前記鎧の中央部を単独で位置し、又は前記鎧の中央部と前記腕の一端部とを並設状態で位置し、前記鎧の中央部と他端部との間で前記鎧パーツ又は前記腕の一端部を押圧し、該押圧力により前記腕を回動方向の所定の位置に保持可能、かつ該押圧力に抗して前記腕を所定の位置から内方又は外方に回動可能に構成したことを特徴とする鎧と腕との連結構造。
【請求項２】
前記鎧パーツには、前記鎧の中央部に接触することにより、前記鎧の中央部と他端部との間で押圧されて、前記腕を回動方向の所定の位置に保持する平坦面又は所定の曲率の曲面と、該平坦面又は曲面の両端に位置するとともに、前記腕を前記押圧力に抗して所定の位置から内方又は外方に回動させたときに、前記鎧の中央部に接触して、該中央部を他端部から離れる方向に押圧する所定の角度の角部又は所定の曲率の曲面とが設けられていることを特徴とする請求項１に記載の鎧と腕との連結構造。
【請求項３】
前記腕の一端部には、前記鎧の中央部に接触することにより、前記鎧の中央部と他端部との間で押圧されて、前記腕を回動方向の所定の位置に保持する平坦面又は所定の曲率の曲面と、該平坦面又は曲面の両側に位置するとともに、前記腕を前記押圧力に抗して所定の位置から内方又は外方に回動させたときに、前記鎧の中央部に接触して、該中央部を他端部から離れる方向に押圧する所定の角度の角部又は所定の曲率の曲面とが設けられていることを特徴とする請求項１に記載の鎧と腕との連結構造。
【請求項４】
前記鎧の他端部には、前記腕を回動方向の所定の位置から更に外方に回動させたときに、前記腕の一部を当接させることにより、前記腕のそれ以上の外方への回動を制限するストッパー部が設けられていることを特徴とする請求項１から３の何れかに記載の鎧と腕との連結構造。
【発明の詳細な説明】
【０００１】
【発明の属する技術分野】
本発明は、メガネフレームの鎧に腕を回動可能に連結するための鎧と腕との連結構造に関し、特に、腕自体のばね力の他に腕を内方又は外方に押圧するばね力を有する鎧と腕との連結構造に関する。
【０００２】
【従来技術及びその問題点】
メガネフレームの一例として、一対のレンズの周縁部を保持するリムと、両リムの内縁部間を連結するブリッジと、各リムの外縁部にそれぞれ連結される鎧と、各鎧に蝶番を介して回動自在に取り付けられる腕とを備えたフルリムタイプのメガネフレームが知られている。
【０００３】
このような構成のメガネフレームは、レンズの後面側において、蝶番を介して両腕を内方（レンズの後面方向）又は外方（レンズの後面から離れる方向）に回動させることにより、両腕をレンズの後面側に折り畳んだり、レンズの後面と略直交する位置に開いたりすることができる。
【０００４】
この場合、各鎧の曲げ角度を調整して、両腕を最大に開いたときの両腕の間隔を調整することにより、使用者の顔に装着したときに、両腕自体のばね力によって両腕を顔の両側面に適度に押圧することができ、良好な装着感が得られるものである。
【０００５】
また、メガネフレームの他の例として、一対のレンズの内側部間を連結するブリッジと、各レンズの外側部に連結される鎧と、各鎧に蝶番を介して回動自在に連結される腕とを備えたリムレスタイプ（ツーポイントタイプともいう。）のメガネフレームが知られている。
【０００６】
このような構成のメガネフレームにおいても、レンズの後面側において、蝶番を介して両腕を内方（レンズの後面方向）又は外方（レンズの後面から離れる方向）に回動させることにより、両腕をレンズの後面側に折り畳んだり、レンズの後面と略直交する位置に開いたりすることができる。
【０００７】
この場合にも、各鎧の曲げ角度を調整して、両腕を最大に開いたときの両腕の間隔を調整することにより、使用者の顔に装着したときに、両腕自体のばね力によって両腕を顔の両側面に適度に押圧することができ、良好な装着感が得られるものである。
【０００８】
ところで、上記のような構成のメガネフレームにあっては、鎧の曲げ角度を調整して両腕間の間隔を調整することにより、両腕を顔の方向へ押し付ける両腕自体のばね力を調整しているため、大まかなばね力の調整しか行うことができない。このため、使用者の顔の大きさに応じて両腕によるばね力を微調整することができず、顔の大きさの異なる多くの人々に良好な装着感を提供することができないという問題を有していた。
【０００９】
本発明は、前記のような従来の問題を解決したものであって、両腕自体によるばね力の他に、鎧と腕との連結部に両腕を顔の方向に押圧するばね力を付加し、これにより、両腕を顔の方向に押圧するばね力の微調整を可能とし、顔の大きさの異なる多くの人々に良好な装着感を提供することができる鎧と腕との連結構造を提供することを目的とする。
【００１０】
【問題点を解決するための手段】
上記のような問題を解決するため、本発明の請求項１に係る鎧と腕との連結構造は、一端部がレンズ側又はリム側に連結される鎧の他端部に腕を回動可能に連結するための鎧と腕との連結構造であって、前記鎧の他端部を一端部の方向に折り返して、該他端部と他端部に連続する中央部との間に互いに接近する方向へのばね力を付加し、前記鎧の他端部に鎧パーツを回動可能に取り付けるとともに、該鎧パーツに前記腕の一端部を一体に連結して、該鎧パーツと前記腕とを一体に回動可能とし、さらに、前記鎧パーツの一部に前記鎧の中央部を挿入して、前記鎧パーツの一部に前記鎧の中央部を単独で位置し、又は前記鎧の中央部と前記腕の一端部とを並設状態で位置し、前記鎧の中央部と他端部との間で前記鎧パーツ又は前記腕の一端部を押圧し、該押圧力により前記腕を回動方向の所定の位置に保持可能、かつ該押圧力に抗して前記腕を所定の位置から内方又は外方に回動可能に構成した手段を採用している。
また、本発明の請求項２に係る鎧と腕との連結構造は、請求項１に記載の鎧と腕との連結構造であって、前記鎧パーツには、前記鎧の中央部に接触することにより、前記鎧の中央部と他端部との間で押圧されて、前記腕を回動方向の所定の位置に保持する平坦面又は所定の曲率の曲面と、該平坦面又は曲面の両端に位置するとともに、前記腕を前記押圧力に抗して所定の位置から内方又は外方に回動させたときに、前記鎧の中央部に接触して、該中央部を他端部から離れる方向に押圧する所定の角度の角部又は所定の曲率の曲面とが設けられている手段を採用している。
さらに、本発明の請求項３に係る鎧と腕との連結構造は、請求項１に記載の鎧と腕との連結構造であって、前記腕の一端部には、前記鎧の中央部に接触することにより、前記鎧の中央部と他端部との間で押圧されて、前記腕を回動方向の所定の位置に保持する平坦面又は所定の曲率の曲面と、該平坦面又は曲面の両側に位置するとともに、前記腕を前記押圧力に抗して所定の位置から内方又は外方に回動させたときに、前記鎧の中央部に接触して、該中央部を他端部から離れる方向に押圧する所定の角度の角部又は所定の曲率の曲面とが設けられている手段を採用している。
さらに、本発明の請求項４に係る鎧と腕との連結構造は、請求項１から３の何れかに記載の鎧と腕との連結構造であって、前記鎧の他端部には、前記腕を回動方向の所定の位置から更に外方に回動させたときに、前記腕の一部を当接させることにより、前記腕のそれ以上の外方への回動を制限するストッパー部が設けられている手段を採用している。
【００１１】
【作用】
本発明は、上記のような手段を採用したことにより、腕は、鎧パーツ又は腕の一端部が鎧の中央部と他端部との間で押圧されることにより、回動方向の所定の位置に保持される。また、腕は、回動方向の所定の位置に保持された状態で、鎧の押圧力に抗して内方又は外方に回動させることにより、鎧のばね力が強められて内方に強く付勢される。
さらに、腕は、鎧パーツの平坦面又は曲面が鎧の中央部と他端部との間で押圧されることにより、回動方向の所定の位置に保持される。また、腕は、回動方向の所定の位置に保持された状態で、鎧の押圧力に抗して内方又は外方に回動させることにより、鎧パーツの平坦面又は曲面に連続する角部又は曲面が鎧の中央部を他端部から離れる方向に押圧し、これにより鎧のばね力が強められて内方に強く付勢されることになる。
さらに、腕は、腕の一端部の平坦面又は曲面が鎧の中央部と他端部との間で押圧されることにより、回動方向の所定の位置に保持される。また、腕は、回動方向の所定の位置に保持された状態で、鎧の押圧力に抗して内方又は外方に回動させることにより、腕の一端部の平坦面又は曲面に連続する角部又は曲面が鎧の中央部を他端部から離れる方向に押圧し、これにより鎧のばね力が強められて内方に強く付勢されることになる。
さらに、腕を外方に回動させたときに、腕の一部が鎧の他端部のストッパー部に当接することにより、腕のそれ以上の外方への回動が制限されることになる。
【００１２】
【発明の実施の形態】
図１〜図３には、本発明による鎧と腕との連結構造を備えたリムレスタイプの眼鏡が示されていて、この眼鏡１は、一対のレンズ２、２の内側部間に連結されるブリッジ３と、各レンズ２の外側部に一端が連結される鎧８と、各鎧８の他端に回動可能に連結される腕１５とを備えている。
なお、「レンズ２の内側部」とは、眼鏡１を顔に装着したときに、鼻側に位置する各レンズ２の内側の部分をいい、「レンズ２の外側部」とは、眼鏡１を顔に装着したときに、耳側に位置する各レンズ２の外側の部分をいう。
【００１３】
ブリッジ３は、線状（棒状）をなすものであって、両端部にそれぞれねじ挿通用の孔（図示せず）が貫通した状態で設けられるとともに、各ねじ挿通用の孔に隣接する部分にそれぞれノーズパッド５が一体に設けられている。
【００１４】
ブリッジ３は、両端部を各レンズ２の内側部の前面側に位置し、各ねじ挿通用の孔を各レンズ２の内側部を貫通するねじ挿通用の孔（図示せず）に一致させ、この状態で、各レンズ２の前面側からブリッジ３の各ねじ挿通用の孔及び各レンズ２のねじ挿通用の孔内にねじ４を挿通させ、各レンズ２の後面側に突出させた各ねじ４の部分にナット６を螺合させて締め付けることにより、両レンズ２、２の内側部間に連結される。
【００１５】
本発明による鎧と腕との連結構造は、各鎧８に各腕１５を回動自在に連結するためのものであって、各鎧８の他端部に各腕１５を回動自在に連結するための鎧パーツ２０を備えている。
【００１６】
各鎧８は、線状（棒状）をなすものであって、一端が各レンズ２の外側部の前面側に連結され、他端に後述する鎧パーツ２０を介して後述する腕１５が回動自在に連結される。
【００１７】
各鎧８の一端部９は、図４に示すように平板状に形成され、この平板状に形成された部分の先端にねじ挿通用の孔（図示せず）が貫通した状態で設けられている。各鎧８は、図１及び図２に示すように、平板状の一端部９を各レンズ２の外側部の前面側に位置し、鎧８側のねじ挿通用の孔（図示せず）を各レンズ２の外側部を貫通するねじ挿通用の孔（図示せず）に一致させ、この状態で、レンズ２の前面側から鎧８側のねじ挿通用の孔及びレンズ２の外側部のねじ挿通用の孔内にねじ４を挿通させ、レンズ２の後面側に突出させたねじ４の部分にナット６を螺合させて締め付けることにより、各レンズ２の外側部に連結される。
【００１８】
各鎧８の一端部９は、図４に示すように、長手方向の中央部の２箇所が互いに異なる方向に略直角に折り曲げられてクランク状に形成され、レンズ２の前面から側面を伝わってレンズ２の後方に延出した後に、レンズ２の前面（又は後面）と略平行する方向の外方に延出している。
【００１９】
各鎧８の一端部に連続する中央部１０は、図４に示すように、一端部９との境界部が略直角に折り曲げられてレンズ２の後方に（レンズ２の前面（又は後面）と略直交する方向に）延出し、この中央部１０の一部が後述する鎧パーツ２０の一部、すなわち、一対の鍔部２１、２１間の支持溝３０内に挿入される。
【００２０】
各鎧８の中央部１０に連続する他端部１１は、図４及び図７〜図１０に示すように、略Ｕ形状に形成され、この略Ｕ形状に形成された他端部１１と中央部１０との間に互いに接近する方向へのばね力が付加される。
【００２１】
すなわち、各鎧８の中央部１０に連続する他端部１１は、中央部１０との境界部が下方に略直角に折り曲げられて垂直方向下方に延出する垂下部１２に形成された後、略直角に折り返されて中央部１０と略平行の折返し部１３に形成され、さらに折返し部１３の先端部が上方に略直角に折り曲げられて垂直方向上方に延出する起立部１４に形成され、この略Ｕ形状の他端部１１と中央部１０との間に互いに接近する方向へのばね力が付加される。
【００２２】
鎧パーツ２０は、図４〜図７に示すように、上下方向に対向して設けられる一対の円板状の鍔部２１、２１と、両鍔部２１、２１間を一体に連結する柱状の連結部２２とから構成され、両鍔部２１、２１の中心部及びそれに対応する連結部２２の部分にはそれらを上下方向に貫通する一連の支持孔２９が設けられる。
【００２３】
連結部２２は、図５及び図６に示すように、両鍔部２１、２１の周面と面一の円弧状の外側面２３と、外側面２３の一端に連続する平坦面の第１内側面２４と、外側面２３の他端に連続する平坦面の第２内側面２５と、第１内側面２４と第２内側面２５とを連結する平坦面の第３内側面２６から構成される。第１内側面２４と第３内側面２６との境界部、及び第２内側面２５と第３内側面２６との境界部は、それぞれ鈍角の第１角部２７、及び第２角部２８に形成される。
【００２４】
連結部２２の第１内側面２４、第２内側面２５及び第３内側面２６は、両鍔部２１、２１の周面よりも内側に位置し、これらの第１、第２、第３の内側面２４〜２６と両鍔部２１、２１の内面との間に外周側が開口する略Ｕ形状の支持溝３０が形成される。支持溝３０内には、図７に示すように、鎧８の中央部１０及び後述する腕１５の一端部１６が鎧８の中央部１０を外側にした状態で挿入される。
【００２５】
鎧パーツ２０の支持溝３０の高さ、すなわち両鍔部２１、２１の内面間の距離は、鎧８の中央部１０の厚み及び後述する腕１５の一端部１６の厚みと略同一に形成される。これにより、腕１５の回動の際にガタが生じることなく、腕１５の一端部１６を鎧８の中央部１０に当接させることが可能となり、ガタにより腕１５の一端部１６及び鎧８の中央部１０が摩耗するのを防止できる。
【００２６】
腕１５は、線状（棒状）をなすものであって、図７及び図８に示すように、一端部１６を鎧パーツ２０の支持溝３０内に挿入し、この状態で一端部１６を鎧パーツ２０の連結部２２の第３内側面２６に溶接等によって一体に連結することにより、鎧パーツ２０に一体に連結される。
【００２７】
この場合、腕１５の一端部１６は略Ｖ形状の屈曲されて、腕１５の本体を通る軸線に対して外方に所定の距離にオフセットされ、このオフセットされた一端部１６を連結部２２の第３内側面２６に一体に連結することにより、腕１５の本体を通る軸線が鎧パーツ２０の支持孔２９を通る中心線上に位置し、腕１５の本体と鎧パーツ２０の連結部２２の第３内側面２６とが略平行となる。
【００２８】
各腕１５の一端部１６の外側の部分（鎧パーツ２０の連結部２２と反対側の部分）は、連結部２２の第３内側面２６に対応する部分が第３内側面２６と略平行の平坦面１７に形成され、第１角部２７に対応する部分が略直角の第１角部１８に形成され、第２角部２８に対応する部分が鈍角の第２角部１９に形成される。
【００２９】
鎧パーツ２０は、図４、図７及び図８に示すように、腕１５の一端部１６を連結部２２の第３内側面２６に連結した状態で、中心部の支持孔２９内に下方から鎧８の他端部１１の起立部１４を挿入し、他端部１１を中央部１０から引き離すように押し広げながら、鎧８の中央部１０を支持溝３０内の腕１５の一端部１６の外側の部分に挿入することにより、鎧８の他端部１１に回動自在に取り付けられる。そして、このように鎧パーツ２０を鎧８の他端部１１に回動自在に取り付けることにより、鎧パーツ２０を介して腕１５が回動自在となる。
【００３０】
この場合、鎧８の他端部１１と中央部１０との間には、それらを互いに接近する方向へ押圧するばね力が付加され、このばね力によって腕１５の一端部１６が中央部１０の方向に押圧され、一端部１６の平坦面１７の全体が鎧８の中央部１０に線接触又は面接触し、一端部１６が鎧８の中央部１０と他端部１１との間で押圧され、腕１５が開いた状態（腕１５の本体を通る軸線がレンズ２の後面と略直交する状態）に保持される。
【００３１】
一方、図９に示すように、両腕１５、１５を更に外方に回動させると、各腕１５の本体の外側の一部が鎧８の他端部１１の垂下部１２に当接し、各腕１５のそれ以上の外方への回動が制限される。すなわち、垂下部１２は、各腕１５の外方への回動を制限するストッパー部として機能する。
【００３２】
この場合、各腕１５の一端部１６の外側の平坦面１７が鎧８の中央部１０から離間し、平坦面１７に連続する第２角部１９によって鎧８の中央部１０が他端部１１（起立部１４）から離れる方向に押圧され、鎧８の中央部１０と他端部１１との間のばね力が強められる。そして、このばね力によって各腕１５が図中Ｅ方向に強く付勢される。従って、眼鏡を顔に装着したときに、各腕１５をＥ方向に付勢するばね力と各腕１５自体のばね力との協働により、両腕１５、１５が顔の側面に押し付けられ、眼鏡１が装着位置からずれるのを防止できる。
なお、各腕１５を内方に押圧するばね力は、各鎧８の中央部１０と各腕１５の一端部１６との当接時の押圧状態や、当接部位の大きさを調整することにより容易に調整することができる。
【００３３】
また、図１０に示すように、両腕１５、１５を図中Ｆ方向に回動させると、各腕１５の一端部１６の外側の平坦面１７が鎧８の中央部１０から離間し、平坦面１７に連続する第１角部１８によって各鎧８の中央部１０が他端部１１（起立部１４）から離れる方向に押圧され、各鎧８の中央部１０と他端部１１との間のばね力が強められる。そして、このばね力によって各腕１５が図中Ｆ方向に強く付勢されてレンズ２、２の後面側に当接するまで回動し、両腕１５、１５がレンズ２、２の後面側に折り畳んだ状態に保持される。
【００３４】
上記のように構成したこの実施の形態による鎧と腕との連結構造にあっては、鎧８の他端部１１を屈曲させるとともに、この屈曲させた他端部１１に鎧パーツ２０を回動可能に取り付け、この鎧パーツ２０に腕１５の一端部１６を一体に連結して、鎧パーツ２０と一体に回動可能とした簡単な構成のものであるので、連結部の構造を簡単にすることができるとともに、小型化することもできる。
また、腕１５自体によるばね力の他に連結部にもばね力を付加し、しかもこの連結部のばね力は、鎧８の中央部１０と腕１５の一端部１６との押圧状態や当接部位の大きさ等を調整することにより微調整することができるので、顔の大きさの異なる多くの人々に良好な装着感を提供することができる。
【００３５】
図１１〜図１３には、本発明による鎧と腕との連結構造の変形例が示されていて、この鎧と腕との連結構造は、鎧パーツ２０の第１内側面２４と第３内側面２６との境界部、及び第２内側面２５と第３内側面２６との境界部をぞれぞれ所定の曲率の曲面に形成するとともに、それに対応させて腕１５の一端部１６の外側の第１角部１８及び第２角部１９を鎧パーツ２０と合致する曲率の曲面に形成したものであって、その他の構成は前述した実施の形態に示すものと同様である。
【００３６】
そして、このように構成したこの変形例による鎧と腕との連結構造は、各腕１５を内方又は外方に回動させる際に、各腕１５の一端部１６の曲面からなる第１角部１８又は第２角部１９が鎧８の中央部１０側に当接することになるので、各腕１５を滑らかに回動させることができる。
なお、この変形例においては、腕１５の一端部１６が鎧パーツ２０の連結部２２の第１内側面２４及び第２内側面２５にまで延出している。
【００３７】
図１４〜図１６には、本発明による鎧と腕との連結構造の他の変形例が示されていて、この鎧と腕との連結構造は、鎧パーツ２０の連結部２２の第１内側面２４、第２内側面２５及び第３内側面２６を所定の曲率の一連の曲面に形成し、これに対応させて各腕１５の一端部１６の外側の平坦面１７、第１角部１８及び第２角部１９を鎧パーツ２０と合致する曲率の一連の曲面に形成したものであって、その他の構成は前述した実施の形態に示すものと同様である。
【００３８】
そして、このように構成したこの変形例による鎧と腕との連結構造は、各腕１５を内方又は外方に回動させる際に、各腕１５の一端部１６の外側の曲面が鎧８の中央部１０側に当接することになるので、各腕１５を更に滑らかに回動させることができる。なお、この変形例においては、腕１５の一端部１６の外側が一連の曲面に形成されているので、腕１５を内方又は外方に回動させる際に、腕１５が強く内方に付勢されることはなく、滑らかに回動させることができる。
【００３９】
なお、前記の説明においては、腕１５の一端部１６によって鎧８の中央部１０を押圧するように構成したが、図示はしないが、鎧パーツによって直接に鎧の中央部を押圧するように構成しても良い。この場合には、鎧パーツ側に腕の一端部の平坦面、第１角部、第２角部等に相当する構成のものを設ければ良い。
【００４０】
また、前記の説明においては、本発明による鎧と腕との連結構造をリムレスタイプのメガネフレームに適用したが、図１７に示すようなフルリムタイプのメガネフレーム、図１８に示すようなハーフリムタイプのメガネフレームに適用しても良い。
【００４１】
さらに、鎧８や腕１５等の各部材に使用される材料としては、特に限定されることなく、通常のメガネフレームに使用している全ての材料を使用することができるが、コバルト合金、ステンレス、β−チタン等の硬い材料を使用することにより、ばね力を大きくすることができる。
【００４２】
【発明の効果】
この発明は、前記のように構成して、鎧の中央部と他端部との間にばね力を付加し、このばね力によって鎧パーツ又は腕の一端部を鎧の中央部と他端部との間で押圧し、腕を回動方向の所定の位置に保持するとともに、この押圧力に抗して腕を所定の位置から内方又は外方に回動可能としたので、腕を開いた状態で眼鏡を顔に装着した場合には、腕自体のばね力と鎧のばね力との協働によって腕を顔の方向に付勢することができる。また、腕を折り畳む場合には、鎧のばね力によってレンズの後面側に腕を素早く折り畳むことができる。
この場合、鎧によるばね力は、鎧の中央部と他端部との間で鎧パーツ又は腕の一端部の押圧状態や、鎧パーツ又は腕の一端部の鎧の中央部に対する接触部の大きさを調整することにより調整できるので、鎧によるばね力の微調整が可能となる。従って、顔の大きさの異なる多くの人々に良好な装着感を提供することができる。
また、鎧と腕との連結部において、鎧に腕を内方又は外方に付勢するばね力を付加するとともに、鎧パーツ及び鎧に腕を回動自在に連結する蝶番の機能を付加しているので、鎧と腕との連結部の構造を簡単にすることができるとともに、小型化することもできる。
さらに、鎧パーツの平坦面及び平坦面に連続する角部を曲面に形成することにより、腕の回動を円滑にすることができる。
さらに、腕の平坦面及び平坦面に連続する角部を曲面に形成することにより、腕の回動を円滑にすることができる。
さらに、腕を回動方向の所定の位置よりも更に外方に回動させた場合には、腕の一部が鎧の他端部のストッパー部に当接することにより、腕のそれ以上の外方への回動を制限することができるので、腕が必要以上に外方に回動して腕や鎧が破損するのを防止できる。
【図面の簡単な説明】
【図１】本発明による鎧と腕との連結構造を備えた眼鏡の一例を示した概略正面図である。
【図２】図１の部分拡大平面図である。
【図３】図１の側面図である。
【図４】本発明による鎧と腕との連結構造の一実施の形態を示した拡大斜視図である。
【図５】図４の鎧パーツの拡大正面図である。
【図６】図５のＡ−Ａ線断面図である。
【図７】図４の鎧パーツと鎧と腕との関係を示した拡大断面図である。
【図８】腕を回動方向の所定の位置（レンズと略直交する位置）に保持した状態を示した説明図である。
【図９】腕を回動方向の所定の位置から更に外方に回動させた状態を示した説明図である。
【図１０】腕を回動方向の所定の位置から内方に回動させた状態を示した説明図である。
【図１１】鎧パーツの他の例を示した拡大正面図である。
【図１２】図１１のＢ−Ｂ線断面図である。
【図１３】本発明による鎧と腕との連結構造の変形例を示した拡大断面図である。
【図１４】鎧パーツの他の例を示した正面図である。
【図１５】図１４のＣ−Ｃ断面図である。
【図１６】本発明による鎧と腕との連結構造の他の変形例を示した拡大断面図である。
【図１７】本発明による鎧と腕との連結構造を備えた他のタイプの眼鏡を示した正面図である。
【図１８】本発明による鎧と腕との連結構造を備えた他のタイプの眼鏡を示した正面図である。
【符号の説明】
１……眼鏡
２……レンズ
３……ブリッジ
４……ねじ
５……ノーズパッド
６……ナット
７……リム
８……鎧
９……一端部
１０……中央部
１１……他端部
１２……垂下部
１３……折返し部
１４……起立部
１５……腕
１６……一端部
１７……平坦面
１８……第１角部
１９……第２角部
２０……鎧パーツ
２１……鍔部
２２……連結部
２３……外側面
２４……第１内側面
２５……第２内側面
２６……第３内側面
２７……第１角部
２８……第２角部
２９……支持孔
３０……支持溝
【図１】
0003612029.tif 000002
【図２】
0003612029.tif 000003
【図３】
0003612029.tif 000004
【図４】
0003612029.tif 000005
【図５】
0003612029.tif 000006
【図６】
0003612029.tif 000007
【図７】
0003612029.tif 000008
【図８】
0003612029.tif 000009
【図９】
0003612029.tif 000010
【図１０】
0003612029.tif 000011
【図１１】
0003612029.tif 000012
【図１２】
0003612029.tif 000013
【図１３】
0003612029.tif 000014
【図１４】
0003612029.tif 000015
【図１５】
0003612029.tif 000016
【図１６】
0003612029.tif 000017
【図１７】
0003612029.tif 000018
【図１８】
0003612029.tif 000019